(57)【特許請求の範囲】
【請求項１】
対象物を検知する検知手段を内蔵し両端部に軸部を有するセンサ本体と、壁や天井のような造営面に固定されるとともにセンサ本体両端部の軸部を回動自在に軸支する軸支部を有する取付枠と、軸部並びに軸支部を覆うカバーとを備え、センサ本体の一方の軸部周囲に回動方向に沿って並ぶ複数の溝部が設けられ、溝部に係止してセンサ本体の回動を規制する係止部が取付枠に設けられ、溝部と嵌合する嵌合部がカバーに設けられるとともに、嵌合部が溝部に嵌合する位置と嵌合しない位置との間で可動自在にカバーが取付枠に取着されたことを特徴とするセンサ。
【請求項２】
複数の溝部が略等間隔に設けられ、係止部が撓み自在且つ溝部と係止離脱自在に取付枠に設けられたことを特徴とする請求項１記載のセンサ。
【請求項３】
センサ本体の両端部には基端を支点にしてセンサ本体の軸方向にそって撓み自在である舌片がそれぞれ設けられるとともに各舌片の先端部に軸部が外向きに突設され、取付枠には舌片の先端部に突設された軸部とそれぞれ嵌合する長孔状の軸支部が形成されてなり、嵌合部が溝部に嵌合しない位置ではカバーとセンサ本体端部との間に、舌片を撓ませて軸部が軸支部から離れる位置までセンサ本体を軸方向に移動可能とする隙間を生じさせたことを特徴とする請求項１又は２記載のセンサ。
【発明の詳細な説明】
【０００１】
【発明の属する技術分野】
本発明は、センサ本体が取付枠に回動自在に取り付けられて検知範囲の調整が可能なセンサに関するものである。
【０００２】
【従来の技術】
図１０は従来のセンサの一例を示す分解斜視図である。このセンサは、センサ本体１００、取付枠１１０、並びにカバー１２０で構成される。センサ本体１００は略円筒形の合成樹脂成型品からなり、周面の一部に矩形の検知窓１０１が開口し、内部には検知範囲内の人の存否を検知するセンサ部（図示せず）が内蔵されている。このセンサ部は、例えば人体から放射される熱線の変化に基づいて人の存否を検知する焦電型のものであり、検知窓１０１を通して受光面に熱線が集光されるから、検知窓１０１の向きによって検知領域が決定される。
【０００３】
取付枠１１０は壁や天井のような造営面に直付けされる矩形板状の取付板１１１と、取付板１１１の長手方向両端部より垂下された一対の側板１１２，１１２とを具備し、センサ本体１００の各底面に突設された円柱状の回動軸１０２，１０２を軸支する円形の軸受け孔１１３，１１３が両側板１１２，１１２にそれぞれ設けられている。すなわち、取付枠１１０に取り付けられたセンサ本体１００が回動軸１０２，１０２を支点として回動自在となり、センサ本体１００を回動して取付枠１１０に対する取付角度を変えることで検知窓１０１の向きを変化させて検知範囲を調整することができるようになっている。
【０００４】
カバー１２０はアクリル樹脂のような透光性部材によって一面が開口する箱型に形成され、センサ本体１００並びに取付枠１１０の側板１１２，１１２を内部に収めるようにして取付枠１１０に取り付けられている。すなわち、カバー１２０を取付枠１１０に取り付けてセンサ本体１００並びに回動軸１０２と軸受け孔１１３を覆い隠すことによって、センサ本体１００が不用意に回動されて取付角度が変化したり、あるいはセンサ本体１００が取付枠１１０から不用意に取り外されることを防いでいる。
【０００５】
【発明が解決しようとする課題】
ところで、上記従来例においてはセンサ本体１００の取付角度を保持するために、センサ本体１００の両回動軸１０２，１０２の周囲に回動方向に沿って並ぶ複数の溝部１０３が設けられ、溝部１０３に係止してセンサ本体１００の回動を規制する係止部（図示せず）が取付板１１１の長手方向両端部に撓み自在且つ溝部１０３と係止離脱自在に設けられている。すなわち、センサ本体１００を手で持って回動方向に力を加えると係止部が溝部１０３と離脱する向きに撓んでセンサ本体１００が回動し、回動方向の力を加えなければ係止部が元の状態に復帰して溝部１０３と係止することで取付角度が保持されるのである。
【０００６】
しかしながら、センサ本体１００の取付角度の保持が係止部と溝部１０３の係止のみによって行われているため、センサ本体１００が不用意に回動して取付角度が変わり、検知領域がずれてしまう虞がある。このようにセンサ本体１００が不用意に回動することを防ぐために取付枠１１０にカバー１２０が取り付けられるているのであるが、検知窓１０１がカバー１２０に覆われることでセンサ部の検知感度が低下したり、カバー１２０と取付枠１１０との取付構造が複雑になるなどの別の問題が生じる。
【０００７】
本発明は上記事情に鑑みて為されたものであり、その目的とするところは、取付枠に対するセンサ本体の取付角度が不用意に変わって検知領域がずれてしまうことを防止したセンサを提供することにある。
【０００８】
【課題を解決するための手段】
請求項１の発明は、上記目的を達成するために、対象物を検知する検知手段を内蔵し両端部に軸部を有するセンサ本体と、壁や天井のような造営面に固定されるとともにセンサ本体両端部の軸部を回動自在に軸支する軸支部を有する取付枠と、軸部並びに軸支部を覆うカバーとを備え、センサ本体の一方の軸部周囲に回動方向に沿って並ぶ複数の溝部が設けられ、溝部に係止してセンサ本体の回動を規制する係止部が取付枠に設けられ、溝部と嵌合する嵌合部がカバーに設けられるとともに、嵌合部が溝部に嵌合する位置と嵌合しない位置との間で可動自在にカバーが取付枠に取着されたことを特徴とし、嵌合部が溝部と嵌合しない位置にカバーを移動させればセンサ本体を回動させて検知領域を容易に調整することができるとともに、カバーを移動させて嵌合部を溝部と嵌合させればセンサ本体の回動が嵌合部と溝部との嵌合によって阻止されるため、取付枠に対するセンサ本体の取付角度が不用意に変わることが無くなって検知領域がずれてしまうことを防止できる。
【０００９】
請求項２の発明は、請求項１の発明において、複数の溝部が略等間隔に設けられ、係止部が撓み自在且つ溝部と係止離脱自在に取付枠に設けられたことを特徴とし、センサ本体の取付角度が溝部の間隔によって規定されるためにカバーを移動して嵌合部を溝部と嵌合させる際に嵌合位置がずれる虞が無く、センサ本体を確実に固定することができる。
【００１０】
請求項３の発明は、請求項１又は２の発明において、センサ本体の両端部には基端を支点にしてセンサ本体の軸方向にそって撓み自在である舌片がそれぞれ設けられるとともに各舌片の先端部に軸部が外向きに突設され、取付枠には舌片の先端部に突設された軸部とそれぞれ嵌合する長孔状の軸支部が形成されてなり、嵌合部が溝部に嵌合しない位置ではカバーとセンサ本体端部との間に、舌片を撓ませて軸部が軸支部から離れる位置までセンサ本体を軸方向に移動可能とする隙間を生じさせたことを特徴とし、カバーを嵌合部が溝部に嵌合しない位置に移動させることで取付枠からセンサ本体を取り外すことが可能となり、可動式のカバーを取付枠の両端部に取着する必要がないことから部品点数が少なくて済むとともにカバーの寸法も小型にできる。
【００１１】
【発明の実施の形態】
以下、本発明を実施形態により詳細に説明する。なお、本実施形態では人体から放射される熱線の変化に基づいて検知領域内の人の存否を検知する人体検知センサを例示するが、対象物や検知方法等は本実施形態に限定されるものではなく、検知領域が調整可能なセンサ一般に本発明の技術思想が適用可能である。
【００１２】
本実施形態は、図１〜図４に示すようにセンサ本体１、取付枠１０並びにカバー３０で構成される。センサ本体１は略円筒形に形成され、周面の一部に外部から熱線を取り込むための円形の検知窓２が開口し、内部には従来例で説明した焦電型の人体検知用センサ部（図示せず）が内蔵されている。なお、この検知窓２は透光性を有する保護カバー（図示せず）によって閉塞されている。センサ本体１の両底面には略Ｕ字形の切り込み１ａが設けられ、この切り込み１ａによってセンサ本体１の底面から切り離されて基端を支点にセンサ本体１の軸方向に沿って撓み自在となる舌片３Ａ，３Ｂが形成される。また、センサ本体１底面の中心と略一致する舌片３Ａ，３Ｂの先端部には円柱状の軸部４Ａ，４Ｂが外向きに突設されている。さらに、センサ本体１周面の舌片３Ａ側の端部には略Ｖ字形の多数の溝部５が底面の周方向に沿って等間隔に列設されている。
【００１３】
取付枠１０は壁や天井のような造営面に固定される矩形板状の取付板１１を有し、取付板１１のセンサ本体１と対向する側の面（以下、この面を「主面」と呼ぶ）の長手方向に沿った両端部には側壁１２，１２が突設され、さらに長手方向に対向する一方の端部には略半円板形の支持台１３が垂設されている。この支持台１３の内側側面の取付板１１近傍から中央部にかけては、センサ本体１の一方の軸部４Ｂが嵌合して軸部４Ｂを回動自在に軸支する長孔状の軸支部１３ａが形成されている。また、取付板１１の主面側にはセンサ本体１の周面と摺接する円弧状の受け部１４ａが形成された２つの剛体板１４が長手方向に対向する両端部近傍に突設されている。
【００１４】
取付板１１の長手方向に対向する他方の端部には矩形板状の支持台１５が垂設されている。支持台１５の内側面の取付板１１近傍から中央部にかけては、センサ本体１の他方の軸部４Ａが嵌合して軸部４Ａを回動自在に軸支する長孔状の軸支部１５ａが形成されている。また、取付板１１端部の支持台１５と剛体板１４に挟まされた部位には、図１（ｃ）に示すように略Ｌ字形であって基端部を支点として支持台１５の軸支部１５ａに沿って撓み自在となる撓み片１６が設けられている。さらに、この撓み片１６の先端（自由端）近傍の取付板１１と反対側の面には、センサ本体１の溝部５に係止離脱自在に係止する略三角形の係止部１６ａが突設されている。
【００１５】
而して、舌片３Ａ，３Ｂを内側に撓ませて各軸部４Ａ，４Ｂを支持台１５，１３の軸支部１５ａ，１３ａに嵌合させることにより、図１（ｂ）に示すように取付枠１０にセンサ本体１が取り付けられ、軸支部１５ａ，１３ａに軸支された軸部４Ａ，４Ｂを支点として取付枠１０に対してセンサ本体１が回動自在となる。ここで、センサ本体１を取付枠１０に取り付けた状態では、取付枠１０の撓み片１６先端部に突設された係止部１６ａがセンサ本体１の溝部５に係止することによってセンサ本体１の回動が規制されてセンサ本体１の取付角度が保持される。また、検知領域調整のためにセンサ本体１の取付角度を変えるときは、センサ本体１に円周方向の力を加えることにより撓み片１６が撓んで溝部５と係止部１６ａとの係止が外れ、センサ本体１を回動させることができる。なお、センサ本体１の取付角度は溝部５の間隔によって規定され、センサ本体１を回動させると係止部１６が隣接する溝部５間を移動する際にクリック感が生じて取付角度の保持位置が把握し易いものである。さらに、剛体板１４の受け部１４ａにセンサ本体１の周面が摺接しているから回動時におけるセンサ本体１のがたつきが抑えられてスムーズに回動し得るものである。
【００１６】
カバー３０は、平面視略Ｕ字形の周壁３２と、周壁３２の一方の側面を閉塞する略半円板形の側板３１とが一体に形成されてなり、支持台１５を内側に収めるようにして取付枠１０に取着される。ここで、周壁３２の中央部における開放された側面近傍の部位には複数の溝部５と各々嵌合する略三角形状の複数の嵌合部３３が等間隔に列設されている。また、カバー３０を取付枠１０に固定するための固定爪３４，３４が周壁３２の内周面両端部に突設されている。さらに周壁３２の内周面中央部近傍には、支持台１５の両角部に設けられた係合溝１５ｂ，１５ｂと係合してカバー３０の固定及びがたつき防止を行うための係合片３５，３５が突設されている。
【００１７】
一方、取付枠１０においては、図５に示すように取付板１１の短幅方向に沿った支持台１５の両側部近傍に略半円形の突台部１７，１７がそれぞれ突設され、カバー３０の固定爪３４，３４と嵌合する嵌合溝１８が各突台部１７，１７の外側面に設けられている。取付板１１と反対側の嵌合溝１８の先端部が開口されており、この開口を通してカバー３０の固定爪３４が嵌合溝１８内に嵌入される。なお、嵌合溝１８の開口周縁には外側に向けて徐々に開口面積が大きくなるように傾斜する傾斜面が１８ａが形成されており、固定爪３４が傾斜面１８ａに沿って嵌合溝１８内に案内されるようにしている。
【００１８】
上述のように構成される本実施形態は、壁や天井等に固定された取付枠１０にセンサ本体１が取り付けられ、所望の検知領域を設定するためにセンサ本体１の取付角度が調整された後、取付枠１０にカバー３０が取着される。すなわち、固定爪３４，３４を突台部１７，１７の嵌合溝１８に嵌入し、係合片３５，３５を支持台１５の係合溝１５ｂ，１５ｂに係合することで支持台１５及びセンサ本体１の軸部４Ａ並びに溝部５を覆うようにしてカバー３０が取付枠１０に取着される。
【００１９】
而して、係合片３５，３５が支持台１５の係合溝１５ｂ，１５ｂに係合するカバー３０の位置（以下、「固定位置」という）では、図１に示すように周壁３２に列設されている複数の嵌合部３３がセンサ本体１の溝部５とそれぞれ嵌合するため、センサ本体１の回動が嵌合部３３と溝部５との嵌合によって阻止される。その結果、取付枠１０に対するセンサ本体１の取付角度が不用意に変わることが無くなって検知領域がずれてしまうことを防止できるものである。また、カバー３０が取付枠１０に取着されて固定位置にある状態では、カバー３０と剛体板１４との間でセンサ本体１を挟持しているので、センサ本体１の取付角度が強固に保持されている。なお、既に説明したように本実施形態においては、複数の溝部５が略等間隔に設けられ、係止部１６ａが撓み自在且つ溝部５と係止離脱自在に取付枠１０に設けられているので、センサ本体１の取付角度が溝部５の間隔によって規定されるためにカバー３０を移動して嵌合部３３を溝部５と嵌合させる際に嵌合位置がずれる虞が無く、センサ本体１を確実に固定することができるものである。
【００２０】
ところで、カバー３０が取付枠１０に取着された状態から検知領域の調整を行う場合、カバー３０を取付枠１０から完全に取り外してしまう必要はない。すなわち、嵌合部３３が溝部５と嵌合しない位置にカバー３０を移動させればセンサ本体１を回動させて検知領域を容易に調整することができる。
【００２１】
また、センサ本体１を取付枠１０から取り外す場合、嵌合部３３が溝部５と嵌合せず且つ係合片３５，３５と係合溝１５ｂ，１５ｂとの係合が外れる位置（以下、「開放位置」という）までカバー３０を移動させれば、図６〜図９に示すようにカバー３０を外側に傾けてカバー３０とセンサ本体１端部との間に隙間ｇを生じさせることができる（図７（ｂ）参照）。したがって、この隙間ｇの方向（図７（ｂ）における矢印の方向）にセンサ本体１を移動させることで反対側端部の軸部４Ｂが軸支部１３ａから離れ（図７（ｃ）参照）、センサ本体１を取付枠１０から取り外すことができる。すなわち、カバー３０を開放位置に移動させることで取付枠１０からセンサ本体１を取り外すことが可能となり、可動式のカバー３０を取付枠１０の両端部に取着する必要がないことから部品点数が少なくて済むとともにカバー３０の寸法も小型にできるという利点がある。
【００２２】
【発明の効果】
請求項１の発明は、対象物を検知する検知手段を内蔵し両端部に軸部を有するセンサ本体と、壁や天井のような造営面に固定されるとともにセンサ本体両端部の軸部を回動自在に軸支する軸支部を有する取付枠と、軸部並びに軸支部を覆うカバーとを備え、センサ本体の一方の軸部周囲に回動方向に沿って並ぶ複数の溝部が設けられ、溝部に係止してセンサ本体の回動を規制する係止部が取付枠に設けられ、溝部と嵌合する嵌合部がカバーに設けられるとともに、嵌合部が溝部に嵌合する位置と嵌合しない位置との間で可動自在にカバーが取付枠に取着されたので、嵌合部が溝部と嵌合しない位置にカバーを移動させればセンサ本体を回動させて検知領域を容易に調整することができるとともに、カバーを移動させて嵌合部を溝部と嵌合させればセンサ本体の回動が嵌合部と溝部との嵌合によって阻止されるため、取付枠に対するセンサ本体の取付角度が不用意に変わることが無くなって検知領域がずれてしまうことを防止できるという効果がある。
【００２３】
請求項２の発明は、請求項１の発明において、複数の溝部が略等間隔に設けられ、係止部が撓み自在且つ溝部と係止離脱自在に取付枠に設けられたので、センサ本体の取付角度が溝部の間隔によって規定されるためにカバーを移動して嵌合部を溝部と嵌合させる際に嵌合位置がずれる虞が無く、センサ本体を確実に固定することができるという効果がある。
【００２４】
請求項３の発明は、請求項１又は２の発明において、センサ本体の両端部には基端を支点にしてセンサ本体の軸方向にそって撓み自在である舌片がそれぞれ設けられるとともに各舌片の先端部に軸部が外向きに突設され、取付枠には舌片の先端部に突設された軸部とそれぞれ嵌合する長孔状の軸支部が形成されてなり、嵌合部が溝部に嵌合しない位置ではカバーとセンサ本体端部との間に、舌片を撓ませて軸部が軸支部から離れる位置までセンサ本体を軸方向に移動可能とする隙間を生じさせたので、カバーを嵌合部が溝部に嵌合しない位置に移動させることで取付枠からセンサ本体を取り外すことが可能となり、可動式のカバーを取付枠の両端部に取着する必要がないことから部品点数が少なくて済むとともにカバーの寸法も小型にできるという効果がある。
【図面の簡単な説明】
【図１】実施形態を示し、（ａ）は正面図、（ｂ）は側面断面図、（ｃ）は別の側面断面図である。
【図２】同上の斜視図である。
【図３】同上の分解斜視図である。
【図４】同上の分解斜視図である。
【図５】同上における取付枠の要部を示す斜視図である。
【図６】（ａ）〜（ｃ）は同上の動作説明図である。
【図７】（ａ）〜（ｃ）は同上の動作説明図である。
【図８】同上におけるカバーを取付枠に取着して固定位置に移動した状態を示す要部の斜視図である。
【図９】同上におけるカバーを開放位置に移動した状態を示す要部の斜視図である。
【図１０】従来例を示す分解斜視図である。
【符号の説明】
１  センサ本体
４Ａ，４Ｂ  軸部
５  溝部
１０  取付枠
１３  支持台
１３ａ  軸支部
１５  支持台
１５ａ  軸支部
１６  撓み片
１６ａ  係止部
３０  カバー
３２  周壁
３３  嵌合部
【図１】
0003640183.tif 000002
【図２】
0003640183.tif 000003
【図３】
0003640183.tif 000004
【図４】
0003640183.tif 000005
【図５】
0003640183.tif 000006
【図６】
0003640183.tif 000007
【図７】
0003640183.tif 000008
【図８】
0003640183.tif 000009
【図９】
0003640183.tif 000010
【図１０】
0003640183.tif 000011